(57)【特許請求の範囲】
【請求項１】
テレビ放送等のコンテンツを録画する手段と、
コンテンツ視聴中に、気になる場面にしおりをつけておく手段と、
視聴中に、しおりがついた場面へ移動する手段と、
視聴不要な場面を設定し、見たい場面だけを視聴する手段とを有するテレビ放送録画再生装置において、
しおりや、視聴不要場面といった再生編集情報を外部から入手する手段と、
外部から入手した再生編集情報を記憶する手段とを備え、
複数のしおりが設定されているときに、しおりヘの移動を指示した場面によって、移動先のしおりが決定されることを特徴とするテレビ放送録画再生装置。
【請求項２】
テレビ放送等のコンテンツを録画する手段と、
コンテンツ視聴中に、気になる場面にしおりをつけておく手段と、
視聴中に、しおりがついた場面へ移動する手段と、
視聴不要な場面を設定し、見たい場面だけを視聴する手段とを有するテレビ放送録画再生装置において、
しおりヘの移動が指示された場面を記憶し、再びしおりヘの移動が指示された場合には、記憶している移動前の場面に戻る手段を備えたことを特徴とするテレビ放送録画再生装置。
【請求項３】
請求項１または２に記載において、
保存録画してあるコンテンツの一覧表示画面上に、再生編集情報も一緒に一覧表示し、再生編集情報が複数あるコンテンツを再生するときには、どの再生編集情報とともに再生するのかを選択する手段を備えたことを特徴とするテレビ放送録画再生装置。
【請求項４】
請求項１または２に記載において、
飛び先のしおりが設定されている場面を視聴しているときに、その飛び先についての情報を視聴者に知らせる手段を備えたことを特徴とするテレビ放送録画再生装置。
【請求項５】
請求項１または２に記載において、
しおり等の再生編集情報が複数登録されている場合には、視聴中に使用する再生編集情報を変更する手段を備えたことを特徴とするテレビ放送録画再生装置。
【請求項６】
請求項１乃至５の何れか１項に記載のテレビ放送録画再生装置で用いるための前記した再生編集情報を、テレビ放送終了後に視聴者のテレビ放送録画再生装置に対して提供する手段を備えたことを特徴とする情報提供サービスシステム。
【発明の詳細な説明】
【０００１】
【発明の属する技術分野】
本発明は、受信したテレビ放送を録画して再生する装置に係り、より詳細には、録画番組を視聴するための再生編集情報を登録することが可能で、その情報にしたがって再生することが可能な、テレビ放送録画再生装置に関するものである。また、この再生編集情報を提供する情報提供サービスシステムに関するものである。
【０００２】
【従来の技術】
近年、従来のテープ媒体によるテレビ録画だけではなく、ディスク媒体を使ったテレビ放送録画再生装置が実用化されている。ディスク媒体を用いると、いわゆる頭出しなどのランダムアクセスが容易に実現できるなどのメリットがある。
【０００３】
さらには近年、放送衛星（ＢＳ）放送や通信衛星（ＣＳ）放送、ケーブルテレビ放送などの、様々なデジタルテレビ放送が既に実現し、今後、更にデジタル地上波放送などの多様なテレビ放送の開始が見込まれている。
【０００４】
これら新しい放送システムの中には、放送される番組の情報（放送局、チャンネル番号、放送時間、番組名、放送回数、ジャンル、番組内容など）が、映像、音声と同じ変調波の上に重畳され、番組録画する際には、これら番組情報を一緒に録画情報として記録することが可能となっている。
【０００５】
図７に、第１の従来例によるテレビ放送録画再生装置のビデオリスト（プログラムリスト）の画面例を示す。本例は、デジタル放送録画機能付きＢＳデジタルチューナー装置の例である。
【０００６】
ビデオリストには、デジタルＢＳ放送の番組を録画した場合には、その番組名が、ＵＨＦ、ＶＨＦ放送から録画した番組の場合には、そのチャンネル番号と録画開始時刻とが表示される。そして、記録日、記領長、未視聴か否かを示すマークなどが表示されている。
【０００７】
また、それぞれのコンテンツ（番組）の記録長や録画モード（デジタル放送から録画した場合はＨＤ、ＳＤ、アナログ放送ならＳＰ、ＬＰなど）も表示されている。
【０００８】
また、このテレビ放送録画再生装置は、コンテンツ視聴中に気なる場面にしおりをつけておくと、後で再生するときにしおりをつけた場面をリモコンの操作ボタンで選んで見ることができたり、２つのしおりの間を不要な場面として指定し、そこをスキップすることもできる。
【０００９】
図８に、このようなテレビ放送録画再生装置の再生位置表示画面の例を示す。図８中において、プログレスバー１６の長さがコンテンツの長さを示している。図８の再生位置表示画面においては、いままでに設定したしおりの位置１７や、コマーシャル終了位置１８、自動設定されている区切り＜大＞２０、区切り＜小＞１９、現在の再生ポイント２２、カウンタ表示２１、コンテンツ記録長２３などが表示されている。このとき、例えばしおりの場面に移動しようとすると、リモコンの左右カーソルボタンで所望のしおりを選択し、次に決定ボタンを押すことにより、しおりの場面へ移動することができる。
【００１０】
また、スキップ区間の指定方法として、スキップ開始位置とスキップ終了位置に、まずしおりを設定し、その後スキップ設定を行うことにより、次回視聴時にはこの区間を飛ばして再生することができる。
【００１１】
次に、第２の従来例として、特開２０００−２７０２９０公報に記載の技術を説明する。この第２の従来例では、番組中のコマーシャルやニュースの場面といった、本来の番組内容と異なる場面の情報をサーバから得る。そして、この情報を基に、他の記録媒体に番組を編集・コピーする際に、コマーシャルやニュースなどの場面を、移動したりカットしたりするものである。
【００１２】
図９に、第２の従来例の時刻情報の例を、そして図１０にその時刻情報を基に編集再生したタイムテーブルを示す。この第２の従来例では、図９の移動位置に“Original”と記載されている部分がまず再生され、続いて移動位置に“１”と記載された部分が再生されるため、再生した映像は、図１０の（Ｂ）のようになる。つまり、まず本編が途中で中断されることなく再生され、その後に選択されたＣＭ（コマーシャル）が再生されることになる。なお、図９の移動位置の欄で“０”となっている場面は再生されない。
【００１３】
次に、第３の従来例として、特開２０００−２２４５５４公報に記載の技術を説明する。この第３の従来例では、しおりの位置に他の映像、音声、テキスト等のデータを表示させることも提案されている。
【００１４】
また、例えばＤＶＤやレーザディスクのような再生専用（録画済）メディアにおいては、コンテンツが既にトラックやチャプタに分けられたりしており、これらを利用することにより、簡単に頭出し、リピート再生といった機能が実現されている。
【００１５】
【発明が解決しようとする課題】
しかしながら、前記第１の従来例では、しおりの情報は、視聴者が自ら設定しなければならず、初めて視聴するときには、この機能を使って先へ飛んだりすることは不可能であった。
【００１６】
また、既にしおりを設定した状態においても、しおりが複数設定されている場合には、そのうちどのしおりに飛ぶのかは自分で判断しなければならず、その作業は面倒なものであった。
【００１７】
また、前記第２、第３の従来例においては、前記したような編集用の情報を基に視聴していたときに、視聴者がその場面が視聴不要であり、ジャンプしたいと考えた場合には、一度この編集情報による再生を中止して、手動で早送り、巻戻し等の操作をしなければならなかった。
【００１８】
また、前記したように、ＤＶＤ等の再生専用メディアには再生編集情報が含まれる場合が多いが、しかしこれらはあくまで再生専用（録画済）メディアだからできることであり、特に生放送を視聴者が録画しようとした場合には、同様の機能は実現不可能であった。
【００１９】
しかも、当然のことながら、映像提供者が再生編集情報の提供者であるため、その他のサービス提供者が再生編集情報の提供をするためには、映像提供者に情報を提供する形を取らなければならなかった。
【００２０】
また、すでにある再生編集情報に追加することもできなかった。
【００２１】
【課題を解決するための手段】
上述したような課題を解決するために、本発明によるテレビ放送録画再生装置では、しおりの時刻情報と、複数のしおりのうちどのしおりに飛ぶのかという条件などの情報を、装置の外部から入手する機能を有する。
【００２２】
【発明の実施の形態】
以下、本発明の実施の形態を、図面を用いて説明する。図１は、本発明の一実施形態に係るテレビ放送録画再生装置の構成を示すブロック図であり、本実施形態は、デジタルＢＳ放送とＶＨＦ、ＵＨＦ放送とが受信可能なテレビ放送録画再生装置への適用例である。
【００２３】
図１において、１はＵ／Ｖ（ＵＨＦ／ＶＨＦ）用チューナ、２は増幅・検波部、３はＭＰＥＧエンコーダ、４は入力切替部、５はＭＰＥＧデコーダ、６はグラフィクス処理部、７は映像記録部、８は番組情報記録部、９はＢＳ用チューナ、１０は復調器、１１はＤＥＭＵＸ（demultiplexer）部、１２はモデム、１３はＩｎｔｅｒｎｅｔ処理部、１４は番組情報処理部、１５はテレビ放送録画再生装置である。
【００２４】
まず、衛星を経由して送られてくるＢＳデジタル放送電波には、デジタル変調された映像、音声の信号以外に、文字や番組情報などのデータが一緒に多重されている。このＢＳデジタル放送電波が、パラボラアンテナで受信され、ケーブルを介してテレビ放送録画再生装置１５に入る。
【００２５】
テレビ放送録画再生装置１５では、ＢＳ用チューナ９、復調器１０、ＤＥＭＵＸ部１１にて、所望の番組の映像、情報のみを取り出す。そして、番組を録画する場合には、その映像が映像記録部７で記録されるとともに、その番組情報が番組情報記録部８で記録される。また、同映像はＭＰＥＧデコーダ５でアナログ信号に戻され、グラフィクス処理部６でスケーリングやＯＳＤ等のグラフィックス処理が行なわれた後、テレビに出力される。
【００２６】
また、アナログ放送を録画する場合は、地上波用アンテナで受信された信号はＵ／Ｖ用チューナ１で所望の放送が選択され、増幅・検波部２で増幅、検波された後、ＭＰＥＧエンコーダ３でデジタル信号に変換される。そして、映像記録部７において記録される。このとき、番組情報記録部８では、放送のチャンネル情報と、時刻情報とが記録される。
【００２７】
また、録画された放送の再生編集情報を入手するためには、Ｉｎｔｅｒｎｅｔ処理部１３からモデム１２を介してインターネットにアクセスし、再生編集情報提供業者のサーバーにアクセスして、情報の提供の要求を行う。
【００２８】
この情報入手の方法としては、同じくインターネットを介して行っても良いし、ＢＳデジタル放送の仕組みを用いても良い。
【００２９】
ＢＳデジタル放送用受信機には、Ｂ−ＣＡＳカードと呼ばれるＩＣカードが挿入されており、このカードには、固有のＩＤ番号が付与されている。そして、ＢＳデジタル放送にはＥＭＭ（Entitlement Management Message）と呼ばれるメッセージがあり、この個別メッセージは、ある固有のＩＤ番号を持ったＩＣカードが挿入された受信端末ヘメッセージを送信することができる。このメッセージを利用することで、例えばシリーズで放送されている番組の再生編集情報を入手するために、毎回インターネットヘアクセスするといった煩わしさから解放され、一度情報を要求しておけば、毎回放送終了後に、ＥＭＭを使って情報が送られてくる。
【００３０】
テレビ放送録画再生装置１５では、このようにして再生編集情報を入手すると、まず番組情報記録部８において、今回提供された情報の番組が、既に録画されている番組のリストの中に含まれているかどうかを確認する。そして、もし含まれていたら（つまり、録画されていたら）、その番組の再生編集情報として番組情報記録部８に追加登録する。
【００３１】
そして、録画番組の再生視聴時には、番組情報処理部１４で録画されている番組情報を元にリストを作成し、ビデオリスト（プログラムリスト）としてテレビヘ出力する。
【００３２】
図２にビデオリストの例を示す。図２に示すように、ビデオリストには、デジタルＢＳ放送の番組を録画した場合には、その番組名が表示され、ＵＨＦ、ＶＨＦ放送から録画した番組の場合には、そのチャンネル番号と録画開始時刻とが表示される。そして、記録日、記録長、未視聴か否かを示すマークや、番組のジャンルを示すマークが表示されている。また、それぞれのコンテンツの記録長や録画モード（デジタル放送から録画した場合はＨＤ、ＳＤ、アナログ放送から録画した場合はＳＰ、ＬＰなど）も表示されている。
【００３３】
また、ダウンロードしてきた再生編集情報がある場合には、これが併せてビデオリストに表示される。例えば図２において、“Ｍｕｓｉｃ  １”という番組には、ユーザが編集した再生編集情報以外に、ダウンロードされてきた再生用の２種類の再生編集情報“クイック視聴用”と“歌手Ｃ場面集”とが、保存されていることがわかる。
【００３４】
そしてもし、“Ｍｕｓｉｃ  １”という番組を、“クイック視聴用”再生編集情報を基にして視聴したい場合には、リモコンのカーソルボタンを操作することによって“ＤＬ情報−クイック視聴用”のところを選択し、決定ボタンを押すことによって、この再生編集情報を基に再生視聴することができる。
【００３５】
次に、ダウンロードされる再生編集情報の例と、これを基に再生した場合の映像について説明する。
【００３６】
例えば、生放送の歌番組の内容が、図３のように放送されたとする。この場合、生放送であるので、放送前にその内容と放送時刻を完全に把握することはできない。
【００３７】
そこで、この放送を視聴したサービス提供者は、しおりの情報を含んだ再生編集情報を作成し、視聴者に提供する。
【００３８】
図４に、再生編集情報の例を示す。これは、しおりの時刻情報のみが含まれている（番組自体を識別するための情報、例えば放送日時、番組名などが同時に送られていることは言うまでもない）。
【００３９】
この再生編集情報をもとに“Ｍｕｓｉｃ  １“を再生すると、まずオープニングタイトルから順次番組が再生されていく。そして、その途中で“ジャンプ”ボタンを押すと、現在再生中の場面の次のしおりヘ飛ぶことができる。例えば、歌手Ｂの歌の場面の再生中である１９：１１：５６にジャンプボタンを押すと、次のしおりであるしおり“９”が設定されている１９：１５：２５に飛び、そこから再生が行なわれる。つまり、歌手Ｂの歌の残りを聴かずに、次に歌手の場面に簡単に移ることが可能となっている。このようにして、番組の必要な部分のみを短い時間で再生視聴することが可能になる。
【００４０】
次に、図５の再生編集情報に基づいた再生の例を示す。この場合は、ジャンプボタンを押す場所により、飛ぶしおりの場所が設定されており、かつ、視聴不要な場面は再生しないように、自動的にしおりからしおりへ飛ぶための情報が入っている。
【００４１】
この再生編集情報を使って“Ｍｕｓｉｃ  １“を再生すると、まずオープニング画面が再生され、次にＣＭを飛ばしてオープニングトークが再生される。そして出演している歌手の紹介が続く。もし歌手の紹介中に歌を聴きたい歌手がいたなら、その歌手の紹介の場面でジャンプボタンを押すと、その歌手の歌の場面へ飛ぶことができる。そして、歌が終わると、次の歌手の紹介の場面へ戻ってくる。もし聴きたい歌が無かった場合には、ジャンプボタンを全く押さなければ、オープニングタイトル、各歌手の紹介、エンディングだけで、再生が終了する。
【００４２】
次に、図６の再生編集情報に基づいた再生の例を示す。この場合、番組名、放送日時等の番組識別のための情報と、図３のしおり時刻情報以外に、図６中の内容表示用の情報が、再生編集情報として情報提供業者から提供される。
【００４３】
このときの番組の再生経過については、図３で説明したものと同一であるが、図６の“表示”の部分に内容がある場面では、再生視聴中にジャンプ先の情報をＯＳＤ等で表示することができる。例えば、しおり“４”〜“５”間を再生中には、ＯＳＤには、「“ジャンプ”ボタンで歌手Ｃの曲ヘジャンプ」といったＯＳＤを表示をすることができる。このとき、“歌手Ｃの曲”以外の部分の表現は定型文としてあらかじめ登録されており、それとの差分となる“歌手Ｃの曲”が再生編集情報としてダウンロードされてくることになる。
【００４４】
なお、視聴中に使用する再生編集情報をユーザが変更可能なようにして、つまり例えば、自動的にしおりからしおりへ飛ぶための情報を、ユーザ操作によってジャンプする情報に変更したり、ユーザ操作によってジャンプする情報を、自動的にしおりからしおりへ飛ぶための情報に変更できる等々のようにしてもよい。
【００４５】
【発明の効果】
本発明は、上述したような構成としているので、たとえ生放送であっても、そのしおり時刻情報、ジャンプ先情報などの再生編集情報を、放送終了後に外部からダウンロードし、追加登録することができる。そして、その情報を基に番組を再生視聴すると、番組を効率良く視聴することができ、自分が希望する場面を選択視聴することができるようになり、以って、テレビ録画番組の再生視聴時間を短縮することが可能となる。
【図面の簡単な説明】
【図１】本発明の一実施形態に係るテレビ放送録画再生装置の構成を示すブロック図である。
【図２】本発明の一実施形態におけるビデオリストの表示例を示す説明図である。
【図３】生放送の歌番組の番組構成の例を示す説明図である。
【図４】本発明の一実施形態において利用するしおりの時刻情報の例を示す説明図である。
【図５】本発明の一実施形態において利用する再生編集情報の例を示す説明図である。
【図６】本発明の一実施形態において利用する再生編集情報の他の例を示す説明図である。
【図７】従来技術によるビデオリストの表示例を示す説明図である。
【図８】従来技術による再生位置表示画面の例を示す説明図である。
【図９】従来技術による再生編集情報の例を示す説明図である。
【図１０】従来技術によるタイムテーブルの例を示す説明図である。
【符号の説明】
１  Ｕ／Ｖ用チューナ
２  増幅・検波部
３  ＭＰＥＧエンコーダ
４  入力切替部
５  ＭＰＥＧデコーダ
６  グラフィクス処理部
７  映像記録部
８  番組情報記録部
９  ＢＳ用チューナ
１０  復調器
１１  ＤＥＭＵＸ部
１２  モデム
１３  Ｉｎｔｅｒｎｅｔ処理部
１４  番組情報処理部
１５  テレビ放送録画再生装置
１６  プログレスバー
１７  しおりの位置
１８  コマーシャル終了位置
１９  自動設定区切り＜小＞
２０  自動設定区切り＜大＞
２１  カウンタ表示
２２  現在の再生ポイント
２３  コンテンツ記録長
【図１】
0003782014.tif 000002
【図２】
0003782014.tif 000003
【図３】
0003782014.tif 000004
【図４】
0003782014.tif 000005
【図５】
0003782014.tif 000006
【図６】
0003782014.tif 000007
【図７】
0003782014.tif 000008
【図８】
0003782014.tif 000009
【図９】
0003782014.tif 000010
【図１０】
0003782014.tif 000011